(57)【要約】【課題】迅速に組み立てを完成し生産コストを削減し、使用者に外殻体部品の便利な取り外しを提供する携帯式電子装置の外殻体部品を提供する。【解決手段】携帯式電子装置の外殻体部品には装着部品を備え、それは、開孔のある収容室を備える。嵌合部品は、第一弾性部と前記収容室内に装着する第一嵌合体を備え、前記第一嵌合体は、第一受力部と前記収容室の開孔に対応する第一嵌合部を備える。第一外殻体は、前記装着部品に取り付け、前記第一外殻体は前記第一嵌合体の第一嵌合部と相互に嵌合する組立部を備える。ガイド体は、第一嵌合体の第一受力部に対応する第一ガイド部を備える。力を前記ガイド体の第一ガイド部に加えると、それに従い前記第一嵌合体の第一受力部が予定位置まで移動し、それによって、前記第一嵌合体は前記第一外殻体の組立部から離脱してロックが解除される。【選択図】図１
0003156572.tif 000002
【実用新案登録請求の範囲】
【請求項１】
第一装着体と第一装着体に連結する第二装着体を備え、前記第一装着体、第二装着体は共通定義の溝と複数の収容室とを備え、各収容室には開孔を設ける装着部品と、
各々に第一弾性部と、前記装着部品の収容室内に取り付ける第一嵌合体とを備え、前記第一嵌合体は、第一受力部と前記収容室の開孔に対応する第一嵌合部を備える複数の嵌合部品と、
前記装着部品に取り付け、それぞれが前記第一嵌合体の第一嵌合部に対応する複数の組立部を備える第一外殻体と、
それぞれが第一嵌合体の第一受力部に対応する第一ガイド部を備える複数のガイド体と、
前記ガイド体に連接し、前記装着部品の溝に対応する放出部を備える連結部とにより構成され、
その内、前記第一嵌合体の第一嵌合部と前記第一外殻体の組立部の間は前記第一弾性部の弾力によって相互に嵌合定位し、
また、力を前記ガイド体の第一ガイド部に加えると、それに従い前記第一嵌合体の第一受力部が予定位置まで移動し、それによって前記第一嵌合体は前記第一外殻体の組立部から離脱してロックが解除されることを特徴とする、携帯式電子装置の外殻体部品。
【請求項２】
前記第一装着体、第二装着体は共通定義の前記収容室に対応する複数のガイド室と、前記ガイド室に対応する通路を備え、前記ガイド体は前記ガイド室内に、前記連結部は前記通路内に装着することを特徴とする、請求項１記載の携帯式電子装置の外殻体部品。
【請求項３】
前記第一装着体は更に板部と、前記板部より延伸する複数の装着部を備え、前記第二装着体は更に、前記第一装着体の前記装着部を相互嵌合固定されるための複数の装着溝を備えることを特徴とする、請求項１記載の携帯式電子装置の外殻体部品。
【請求項４】
前記第一嵌合体の第一受力部は第一受力斜面を備え、前記ガイド体の第一ガイド部は第一ガイド斜面を備え、前記第一ガイド斜面と前記第一受力斜面に圧力をかけて移動することにより、前記第一嵌合部も前記ガイド体に従い移動することを特徴とする、請求項１記載の携帯式電子装置の外殻体部品。
【請求項５】
前記第一外殻体の組立部は嵌合孔を備え、前記第一外殻体の組立部エッジに対応する前記第一嵌合体の第一嵌合部には第一嵌合斜面を備え、前記第一外殻体の組立部と前記第一嵌合体の第一嵌合部間の装着定位を導くことを特徴とする、請求項１記載の携帯式電子装置の外殻体部品。
【請求項６】
更に前記第一装着体と前記第一外殻体の間に装着する第三弾性部を備えることを特徴とする、請求項１記載の携帯式電子装置の外殻体部品。
【請求項７】
更に前記装着部品の収納室内に取り付ける第二嵌合体を備え、前記第二嵌合体は第二受力部と、前記収容室の開孔に対応する第二嵌合部と、前記収容室と前記第二嵌合体の間に装着する第二弾性部とを備え、前記ガイド体は前記第二嵌合体の第二受力部に対応する第二ガイド部を備え、また、前記装着部品の第二装着体に取り付ける第二外殻体を備え、前記第二外殻体は、複数の組立部を備え、各組立部は前記第二嵌合体の第二嵌合部に対応することを特徴とする、請求項１記載の携帯式電子装置の外殻体部品。
【請求項８】
前記第二外殻体の組立部は嵌合孔を備え、前記第二外殻体の組立部エッジに対応する前記第二嵌合体の第二嵌合部は第二嵌合斜面を備え、前記第二外殻体の組立部と前記第二嵌合体の第二嵌合部間の装着定位を導くことを特徴とする、請求項７記載の携帯式電子装置の外殻体部品。
【請求項９】
前記第二嵌合体の第二受力部は第二受力斜面を備え、前記ガイド体の第二ガイド部は第二ガイド斜面を備え、前記第二ガイド斜面と前記第二受力斜面が圧力をかけて移動することにより、前記第二嵌合体は前記ガイド体に従い移動することを特徴とする、請求項７記載の携帯式電子装置の外殻体部品。
【請求項１０】
更に、前記第二装着体と前記第二外殻体の間に取り付ける第四弾性部を備えることを特徴とする、請求項７記載の携帯式電子装置の外殻体部品。
【請求項１１】
前記第一嵌合体、第二嵌合体には、それぞれ第一ガイドホール、第二ガイドホール、及び第一受力部、第二受力部を備え、ガイド体は可動状態で前記連結部に連接し、前記ガイド体は前記第一嵌合体の第一受力部に対応する第一カムと、前記第二嵌合部の第二受力部に対応する第二カムを備え、前記第一カム、第二カムはそれぞれ前記第一嵌合体、第二嵌合体の第一ガイドホール、第二ガイドホールを貫通し前記装着部品と枢着する第一軸棒と第二軸棒を備えることを特徴とする、請求項７記載の携帯式電子装置の外殻体部品。
【請求項１２】
前記放出部は更に一端を枢着して、他の一端を操作して動かすことを可能とすることを特徴とする、請求項１記載の携帯式電子装置の外殻体部品。
【請求項１３】
前記放出部は第一部と第二部を備え、前記連結部に連結するスライド部は、前記第一部に対応する第一斜面と前記第二部に対応する第二斜面とを備えることを特徴とする、請求項１記載の携帯式電子装置の外殻体部品。
【考案の詳細な説明】
【技術分野】
【０００１】
本考案は、外殻体部品に係り、特に、携帯式電子装置の外殻体部品に関するものである。
【背景技術】
【０００２】
一般には、電子装置の外殻体の組立ては複数のネジによって完成させている。よって、前記電子装置の外殻体組立ての品質、例えば、外殻体組立ての牢固性は、前記ネジを前記外殻体上に締め付けた時の緊密度によって決まる。しかし、ネジを一つ一つ締め付ける作業はかなりの時間のかかる組立て作業であり、しかも、ネジが外殻体のネジ孔の崩れが原因で緊密に締め付けられないか、前記外殻体から脱落するなどする場合は、前記電子装置の外殻体の牢固性に影響を及ぼすことになる。それ故に、現在、既に他タイプの電子装置の外殻体が市場に出現している。
【０００３】
電子装置に用いる外殻体に関して、既に公開されたＰｅｔｒｅｌｌａ等による特許文献１の「Ｈｏｕｓｉｎｇ  ａｓｓｅｍｂｌｙ  ｆｏｒ  ａｎ  ｅｌｅｃｔｒｏｎｉｃ  ｄｅｖｉｃｅ」、Ｓｕｎによる特許文献２の「Ｈｏｕｓｉｎｇ  ａｓｓｅｍｂｌｙ  ｏｆ  ａ  ｐｏｒｔａｂｌｅ  ｅｌｅｃｔｒｏｎｉｃ  ｄｅｖｉｃｅ  」、及びＰａｎによる「Ｈｏｕｓｉｎｇ  ａｓｓｅｍｂｌｙ  ｏｆ  ｐｏｒｔａｂｌｅ  ｅｌｅｃｔｒｏｎｉｃ  ｄｅｖｉｃｅ」を本出願の参考とする。
【０００４】
前記Ｐｅｔｒｅｌｌａの公開した特許技術とは、第一外殻体と第二外殻体を備え、前記第一外殻体の一方側には複数のフック部（ｈｏｏｋｓ）を設け、それに対応する側には複数の凸部（ｔａｂｓ）を設ける。前記第二外殻体の一方側には、複数のフック部受け入れ体（ｈｏｏｋ  ａｃｃｅｐｔｏｒｓ）を設け、前記第一外殻体のフック部（ｈｏｏｋｓ）を相互に嵌合し、それに対応する側には複数の凸部（ｔａｂｓ）及びスライド部（ｓｌｉｄａｂｌｅ  ｅｌｅｍｅｎｔ）を前記第一外殻体と前記第二外殻体の間に設置する。前記スライド部には複数の溝口を設け、これにより前記第一外殻体、第二外殻体の凸部と嵌合固定させ、組み立て後の前記第一外殻体、第二外殻体を相互に定位させる。
【０００５】
前記Ｓｕｎの公開した特許技術は、複数の部品を備えており、各部品には複数のホゾ及びＵ形状のスライド部を備え、前記部品に連結して組み立てる。前記スライド部には複数の前記部品に対応するホゾを備えているため、相互に嵌合固定でき、これにより、前記部品に組立て上での定位を与える。しかし、取り外す場合、前記部品を分離させなければならず、結果として、このような組立て方式では使用者が単一の外殻体表面板を取り外し交換するには不適当である。前述Ｐａｎの公開した特許技術はＳｕｎの開示した技術に類似する。
【先行技術文献】
【特許文献】
【０００６】
【特許文献１】アメリカ合衆国特許第５，９４６，３９５号
【特許文献２】アメリカ合衆国特許第７，１１６，７８０号
【特許文献３】アメリカ合衆国特許第７，１４９，３０６号
【考案の概要】
【考案が解決しようとする課題】
【０００７】
本考案の課題は、前述公知の技術において使用者による前記電子装置の外殻体の迅速な取り外しを提供することはできないという欠点を解決することにある。
【課題を解決するための手段】
【０００８】
本考案は、携帯式電子装置の外殻体部品に関するものであり、迅速な組み立てを完成して生産コストを削減し、並びに、使用者に前記外殻体部品の便利な取り外しを提供する。
【０００９】
本考案に示す通り、前記携帯式電子装置の外殻体部品には装着部品を備え、前記装着部品には、第一装着体と、第一装着体に連結する第二装着体を備え、前記第一装着体、第二装着体は共通定義の収容室と溝を備え、前記収容室には開孔を設ける。嵌合部品は、第一弾性部と前記装着部品の収容室内に装着する第一嵌合体を備え、前記第一嵌合体は、第一受力部と前記収容室の開孔に対応する第一嵌合部を備える。第一外殻体は、前記装着部品に取り付け、前記第一外殻体は前記第一嵌合体の第一嵌合部に対応する組立部を備え、相互に嵌合定位する。ガイド体は、第一嵌合体の第一受力部に対応する第一ガイド部を備える。連結部は、前記ガイド体に連接し、前記連結部は前記装着部品の溝に対応する放出部を備える。その内、前記第一嵌合体の第一嵌合部と前記第一外殻体の組立部の間は前記第一弾性部の弾力によって相互に嵌合定位する。また、力を前記ガイド体の第一ガイド部に加えると、それに従い前記第一嵌合体の第一受力部が予定位置まで移動し、それによって、前記第一嵌合体は前記第一外殻体の組立部から離脱してロックが解除される。
【００１０】
前記第一装着体、第二装着体には共同定義の前記収容室に対応するガイド室と、前記ガイド室に対応する通路を設け、前記ガイド体は前記ガイド室内に、前記連結部は前記通路内に装着する。
【００１１】
前記第一装着体は更に板部と、前記板部より延伸する複数の装着部を備え、前記第二装着体は更に、前記第一装着体の前記装着部を相互嵌合固定するための複数の装着溝を備える。
【００１２】
前記嵌合部品は更に前記装着部品の収容室内に取り付ける第二嵌合体を備え、前記第二嵌合体は第二受力部と、前記収容室の開孔に対応する第二嵌合部と、前記収容室と前記第二嵌合体の間に装着する第二弾性部とを備え、前記ガイド体は前記第二嵌合体の第二受力部に対応する第二ガイド部を備え、また更に、前記装着部品の第二装着体に取り付ける第二外殻体を備え、前記第二外殻体は、複数の組立部を備え、各組立部は前記第二嵌合体の第二嵌合部に対応させる。
【００１３】
前記第二外殻体の組立部は嵌合孔を備え、前記第二嵌合体の第二嵌合部は前記第二外殻体の組立部エッジに対応し第二嵌合斜面を備え、前記第二外殻体の組立部と前記第二嵌合体の第二嵌合部間の装着定位を導く。
【００１４】
前記第一嵌合体の第一受力部は第一受力斜面を備え、前記ガイド体の第一ガイド部は第一ガイド斜面を備え、前記第一ガイド斜面と前記第一受力斜面が圧力をかけて移動することにより、前記第一嵌合体は前記ガイド体に従い移動する。
【００１５】
前記第二嵌合体の第二受力部は第二受力斜面を備え、前記ガイド体の第二ガイド部は第二ガイド斜面を備え、前記第二ガイド斜面と前記第二受力斜面が圧力をかけて移動することにより、前記第二嵌合体は前記ガイド体に従い移動する。
【００１６】
前記第一外殻体の組立部は嵌合孔を備え、前記第一外殻体の組立部エッジに対応する前記第一嵌合体の第一嵌合部には第一嵌合斜面を備え、前記第一外殻体の組立部と前記第一嵌合体の第一嵌合部間の装着定位を導く。
【００１７】
更に、前記第一装着体と前記第一外殻体の間に装着する第三弾性部を備える。
【００１８】
更に、前記第二装着体と前記第二外殻体の間に装着する第四弾性部を備える。
【００１９】
更に、前記第一装着体、第二装着体の間に装着する電子部品を備える。
【００２０】
前記第一嵌合体、第二嵌合体にそれぞれ第一ガイドホール、第二ガイドホール及び第一受力部、第二受力部を備え、ガイド体は可動状態で前記連結部に連結し、前記ガイド体は前記第一嵌合体の第一受力部に対応する第一カムと、前記第二嵌合部の第二受力部に対応する第二カムを備え、前記第一カム、第二カムはそれぞれ前記第一嵌合体、第二嵌合体の第一ガイドホール、第二ガイドホールを貫通し前記装着部品と枢着する第一軸棒と第二軸棒を備える。
【００２１】
前記放出部は更に一端を枢着し、他の一端を操作して動かすことを可能とする。
【００２２】
前記放出部は更に第一部と第二部を備え、前記連結部に連結するスライド部は、前記第一部に対応する第一斜面と前記第二部に対応する第二斜面とを備える。
【考案の効果】
【００２３】
本考案の携帯式電子装置の外殻体部品は、迅速に組み立てを完成して生産コストを削減し、並びに、使用者に前記外殻体部品の便利な取り外しを提供する特徴をもつ。
【図面の簡単な説明】
【００２４】
【図１】本考案の第一実施例に関する分解図である。
【図２】本考案の第一実施例に関する部分分解図である。
【図３】本考案の第一実施例に関する部分組み立て図である。
【図４】本考案の第一実施例に関する組み立て上面図である。
【図５】本考案の第一実施例に関するの組み立て側面図である。
【図６】本考案の第一実施例に関する第一操作状態の前面図である。
【図７】本考案の第一実施例に関する第一操作状態の部分拡大図である。
【図８】本考案の第一実施例に関する第一操作状態の上面図である。
【図９】本考案の第一実施例に関する第二操作状態の前面図である。
【図１０】本考案の第一実施例に関する第二操作状態の部分拡大図である。
【図１１】本考案の第一実施例に関する第二操作状態の上面図である。
【図１２】本考案の第二実施例に関する嵌合部品分解図である。
【図１３】本考案の第三実施例に関する嵌合部品分解図である。
【図１４】本考案の第四実施例に関する嵌合部品分解図である。
【図１５】本考案の第四実施例に関する第一方向操作図である。
【図１６】本考案の第四実施例に関する第二方向操作図である。
【図１７】本考案の第五実施例に関する放出部操作図である。
【図１８】本考案の第六実施例に関する操作機構の構造図である。
【図１９】本考案の第六実施例に関する操作機構の操作図である。
【図２０】本考案の第六実施例に関する操作機構の分解図である。
【図２１】本考案の第七実施例に関する組み立て図である。
【考案を実施するための形態】
【００２５】
図１乃至図３に、本考案の第一実施例に関する分解図、部分分解図、及び部分組み立て図を示す。
【００２６】
装着部品１は第一装着体１０及び第二装着体２０を備える。前記第一装着体１０は、第一側壁１１と、前記第一側壁１１に対応する第二側壁１２と、前記第一側壁１１、第二側壁１２に連結する第三側壁１３と、前記第三側壁１３に対応する第四側壁１４とを備える。即ち、第一側壁１１と第二側壁１２は対称となる両側壁であり、第三側壁１３と第四側壁１４もまた対称となる両側壁である。更に、第一装着体１０は、前記側壁１１、１２、１３、１４と連結する板部１６と、前記板部１６から延伸する複数の装着部１８とを備える。装着部品１は、更に、第一装着体１０に連結する第二装着体２０を含む。前記第二装着体２０は、前記第一装着体１０の第一側壁１１、第二側壁１２、第三側壁１３、第四側壁１４と共通定義される複数の収容室２２を有し、収容室２２は最低、装着部品１の何れか一つの対称とする両側壁に配置し、各収容室２２には一つの開孔２３を設け、複数のガイド室２４は前記収容室２２、溝２６、通路２８に対応する。本実施例において、前記第二装着体２０には、前記第一装着体１０の装着部１８と嵌合固定しあう複数の装着溝２９を備える。
【００２７】
複数の各嵌合部品３０において、各嵌合部品３０には、前記装着部品１の収容室２２内に取り付ける第一嵌合体３２と、前記収容室２２及び前記第一嵌合体３２の間に装着する第一弾性部３４と、前記装着部品１の収容室２２内に装着する第二嵌合体４２と、前記収容室２２及び前記第二嵌合体４２の間に装着する第二弾性部４４とを備える。その内、前記第一嵌合体３２は、前記収容室２２の開孔２３に対応する第一受力部３６及び第一嵌合部３８を備え、前記第一嵌合部３８は、前記第一弾性部３４の生じる弾力により前記収容室２２の開孔２３方向に移動する。前記第二嵌合体４２に備える第二受力部４６及び第二嵌合部４８は前記収容室２２の開孔２３に対応し、前記第二嵌合部４８は、前記第二弾性部４４の生じる弾力により前記収容室２２の開孔２３方向に移動する。本実施例において、前記第一受力部３６は第一受力斜面を備え、前記第二受力部４６は第二受力斜面を備える。また、前記第一弾性部３４、第二弾性部４４は圧縮バネである。第二実施例において、図１２に示すとおり、前記第一弾性部３４ａ、第二弾性部４４ａはそれぞれ板状バネであり、前記第一嵌合体３２ａ、第二嵌合体４２ａにはそれぞれ挿入溝３３ａ、挿入溝４３ａを備え、前記板状型態の第一弾性部３４ａ、第二弾性部４４ａを插入固着する。或いは、第三実施例において、図１３に示すとおり、前記第一嵌合体３２ｂ、第二嵌合体４２ｂに連結する第一弾性部３４ｂ、第二弾性部４４ｂを直接成型してもよい。
【００２８】
第一外殻体５０は、前記装着部品１の第一装着体１０に装着する。前記第一外殻体５０は、複数の組立部５２を備え、各組立部５２は前記第一嵌合体３２の第一嵌合部３８に対応し、相互嵌合して定位させる。これは図４、図５に示すとおりである。本実施例において、前記組立部５２には嵌合孔５３を備え、前記第一嵌合体３２の第一嵌合部３８の前記組立部５２エッジに対応する箇所には第一嵌合斜面３９を設け、前記組立部５２と前記第一嵌合体３２の第一嵌合部３８間の装着定位を導く。
【００２９】
第二外殻体６０は、前記装着部品１の第二装着体２０に装着する。前記第二外殻体６０は、複数の組立部６２を備え、各組立部６２は前記第二嵌合体４２の第二嵌合部４８に対応し、相互嵌合して定位させる。これは図４、図５に示すとおりである。本実施例において、前記組立部６２には嵌合孔６３を備え、前記第二嵌合体４２の第二嵌合部４８の前記組立部６２エッジに対応する箇所には第二嵌合斜面４９を設け、前記組立部６２と前記第二嵌合体４２の第二嵌合部４８間の装着定位を導く。
【００３０】
複数のガイド体７０は、各ガイド体７０を前記装着部品１のガイド室２４内に装着し、前記ガイド体７０には、前記第一嵌合体３２の第一受力部３６に対応する第一ガイド部７２を備え、前記第一ガイド部７２により対応する前記第一受力部３６が圧せられて第一予定位置まで移動すると、前記第一嵌合体３２はそれに従い移動し、且つ、前記第一弾性部３４を圧縮し、それによって、前記第一嵌合部３８は前記第一外殻体５０の組立部５２との嵌合を離れる。並びに、第二ガイド部７４は前記第二嵌合体４２の第二受力部４６に対応しているが、前記第二ガイド部７４により対応する前記第二受力部４６が圧せられて第二予定位置まで移動すると、前記第二嵌合体４２はそれに従い移動し、且つ、前記第二弾性部４４を圧縮し、それによって、前記第二嵌合部４８は前記第二外殻体６０の組立部６２の嵌合を離れる。本実施例において、前記ガイド体７０の第一ガイド部７２は第一ガイド斜面を備えているが、前記第一ガイド斜面と前記第一嵌合体３２の第一受力斜面により圧せられて移動し、それによって、前記第一嵌合体３２は前記ガイド体７０に従い移動する。前記ガイド体７０の第二ガイド部７４は第二ガイド斜面を備え、前記第二ガイド斜面と前記第二嵌合体４２の第二受力斜面により圧せられて移動し、それによって、前記第二嵌合体４２は前記ガイド体７０に従い移動する。
【００３１】
連結部８０は前記ガイド体７０に連結する。前記連結部８０に備える放出部８２は、前記装着部品１の溝２６に対応し、使用者が前記放出部８２を操作して、前記連結部８０を移動させると、前記ガイド体７０もそれに従って移動する。本実施例において、前記連結部８０は紐の形態で前記装着部品１の通路２８内に装着する。
【００３２】
前記部品を組み合わせた後、前記第一外殻体５０と前記第一装着体１０の間は、前記第一弾性部３４の生じる彈力で前記第一嵌合体３２を圧する故、前記第一嵌合体３２の第一嵌合部３８と前記第一外殻体５０の組立部５２を相互嵌合して定位させる。並びに、前記第二外殻体６０と前記第二装着体２０の間は、前記第二弾性部４４の生じる彈力で前記第二嵌合体４２を圧する故、前記第二嵌合体４２の第二嵌合部４８と前記第二外殻体６０の組立部６２を相互嵌合して定位させる。
【００３３】
図６乃至図８は、本考案の第一実施例に関する第一操作状態図であり、前記第一外殻体５０を前記装着部品１の第一装着体１０から取り外せることを示す。本実施例において、使用者が前記放出部８２（或いは前記連結部８０）を操作して初期位置から第一方向（図中のＦ１方向）の第一予定位置まで移動させる時、前記ガイド体７０は前記連結部８０に従い移動し、前記ガイド体７０の第一ガイド部７２が対応する前記第一嵌合体３２の第一受力部３６を圧して移動する故、前記第一嵌合体３２もそれに従い移動し、且つ、前記第一弾性部３４を圧縮し、その後、前記第一嵌合体３２の第一嵌合部３８は前記第一外殻体５０の組立部５２間での嵌合を離れ、その結果、前記第一外殻体５０は簡単に前記装着部品１の第一装着体１０から取り外すか、その他タイプの第一外殻体５０の交換が可能となる。即ち、一つの力を前記ガイド体７０の第一ガイド部７２に加え、それに従って前記第一嵌合体３２の第一受力部３６が予定位置まで移動する時、前記第一嵌合体３２は前記第一外殻体５０の組立部５２から離脱してロックを解除する。また、図６に示すとおり、連結部８０は繞設方式で前記環状配置したガイド体７０に連結し、しかも、同時に各ガイド体７０と第一嵌合体３２を連動する。
【００３４】
図９乃至図１１図は、本考案の第一実施例に関する第二操作状態図であり、前記第二外殻体６０を前記装着部品１の第二装着体２０から取り外せることを示す。本実施例において、使用者が前記放出部８２（或いは前記連結部８０）を操作して第二方向（図中のＦ２方向）の第二予定位置まで移動させる時、前記ガイド体７０は前記連結部８０に従い移動し、前記ガイド体７０の第二ガイド部７４が対応する前記第二嵌合体４２の第二受力部４６を圧して移動する故、前記第二嵌合体４２もそれに従い移動し、且つ、前記第二弾性部４４を圧縮し、その後、前記第二嵌合体４２の第二嵌合部４８は前記第二外殻体６０の組立部６２間での嵌合を離れ、その結果、前記第二外殻体６０は簡単に前記装着部品１の第二装着体２０から取り外すか、その他タイプの第二外殻体６０の交換が可能となる。また、図９に示すとおり、連結部８０は繞設方式で前記環状配置したガイド体７０に連結し、しかも、同時に各ガイド体７０と第二嵌合体４２を連動する。
【００３５】
図１４乃至図１６に、本考案の第四実施例に関する嵌合部品分解図及びその操作状態図を示す。本実施例は、第一嵌合体３２ｃ及び第二嵌合体４２ｃを備え、前記第一嵌合体３２ｃ、第二嵌合体４２ｃはそれぞれ、第一ガイドホール３３ｃと第二ガイドホール４３ｃ、同方向の第一受力部３６ｃと前記第一嵌合部３８ｃ、及び同方向の第二受力部４６ｃと前記第二嵌合部４８ｃを備える。また、ガイド体７０ｃは可動状態で前記連結部８０に連結し、図に示すとおり、前記連結部８０に備える連結体８１が前記ガイド体７０ｃに可動状態で嵌設し、前記ガイド体７０ｃに備える第一カム７１ｃは前記第一嵌合体３２ｃの第一受力部３６ｃに対応し、第二カム７２ｃは前記第二嵌合体４２ｃの第二受力部４６ｃに対応しており、前記第一カム７１ｃ、第二カム７２ｃに備える第一軸棒７３ｃ、第二軸棒７４ｃはそれぞれ、前記第一嵌合体３２ｃの第一ガイドホール３３ｃ、第二嵌合体４２ｃの第二ガイドホール４３ｃを貫通し、前記装着部品１に枢着する。また、第一軸棒７３ｃ、第二軸棒７４ｃは、ガイド体７０ｃに同一棒体の両端が貫通する棒体とすることも可能である。本実施例において、前記第一ガイドホール３３ｃ、第二ガイドホール４３ｃは横方向の長い溝とし、前記ガイド体７０ｃの第一軸棒７３ｃ、第二軸棒７４ｃに対応する前記第一嵌合体３２ｃ、第二嵌合体４２ｃに可動ストロークを持たせる。使用者が前記放出部８２（或いは前記連結部８０）を操作して初期位置から第一方向（図１５図中のＦ１方向）に移動させる時、前記ガイド体７０ｃは前記連結部８０に従い回転し、前記ガイド体７０ｃの第一カム７１ｃが前記第一嵌合体３２ｃの第一受力部３６ｃを圧する故、前記第一嵌合体３２ｃもそれに従い移動し、且つ、前記第一弾性部３４を圧縮し、それにより、前記第一嵌合体３２ｃはロック解除される。これに対し、使用者が前記放出部８２（或いは前記連結部８０）を操作して第二方向（図１６図中のＦ２方向）に移動させる時、前記ガイド体７０ｃは前記連結部８０に従い回転し、前記ガイド体７０ｃの第二カム７２ｃが前記第二嵌合体４２ｃの第二受力部４６ｃを圧する故、前記第二嵌合体４２ｃもそれに従い移動し、且つ、前記第二弾性部４４を圧縮し、それにより、前記第二嵌合体４２ｃはロック解除される。
【００３６】
また、第五実施例は、図１７に示すとおりであり、放出部８２ａは更に枢着し回転可能な一端を備えている故、前記放出部８２ａの他の一端を第一方向Ｆ１或いは第二方向Ｆ２に移動操作でき、これによって、前記連結部８０を移動させ、前記ガイド体７０が動くと第二嵌合体４２（或いは前記第一嵌合体３２）が移動し、対応する第二外殻体６０を嵌合（或いは第一外殻体５０）またはロック解除させる。また、第六実施例は、図１８乃至図２０に示すとおりであり、放出部８２ｂは更に第一部８４ｂ及び第二部８６ｂを備え、スライド部８８ｂを前記連結部８０に連結する。前記スライド部８８ｂは前記第一部８４ｂに対応する第一斜面９０ｂと、前記第二部８６ｂに対応する第二斜面９２ｂを備える。前記放出部８２ｂが力を受けて第三方向Ｆ３に押し入れられると、前記第一部８４ｂは前記スライド部８８ｂの第一斜面９０ｂに沿って移動し、圧せられた前記スライド部８８ｂは上方向に移動、それに従い前記連結部８０も移動する。または、前記放出部８２ｂが力を受けて第四方向Ｆ４に引っ張られると、前記第二部８６ｂは前記スライド部８８ｂの第二斜面９２ｂに沿って移動し、下圧される前記スライド部８６ｂは下に移動、それに従い前記連結部８０も移動する。これによって、コントロールされる前記ガイド体７０の移動に従い前記第二嵌合体４２（或いは第一嵌合体３２）と対応する第二外殻体６０（或いは第一外殻体５０）はロックを解除する。この実施例は図２０に示すとおり、前記スライド部８８ｂには第一部品８９ｂ及び第二部品９１ｂを備え、前記第一部品８９ｂには第一斜面９０ｂ及び複数のホゾ９３ｂを備え、前記第二部品９１ｂには第二斜面９２ｂ及び前記ホゾ９３ｂに対応する複数のホゾ穴９４ｂを備え、しかも前記第一部品８９ｂと第二部品９１ｂは前記ホゾ９３ｂとホゾ穴９４ｂによって結合する。
【００３７】
前述したとおり、本実施例は組立て業者が生産組立てする場合、工具に頼らずに、特にネジ道具に頼らずに、迅速且つ敏捷に組立て工程を完成し、大幅に組立て業者の生産時間及びコストを低下させられるものである。特に、使用者は簡単に便利に第一外殻体または第二外殻体を取り外し可能である。
【００３８】
前述したとおり、更に電子部品（未図示）を前記第一装着体１０、第二装着体２０の間に取り付けすることも可能である。
【００３９】
図２１に示したとおり、更に第三弾性部９６を前記第一装着体１０と前記第一外殻体５０の間に取り付けることも可能であり、これにより、第一外殻体５０には押さえつける緊密度が生じ、前記第一外殻体５０の組立部５２と前記第一嵌合体３２をロック解除する時、前記第一外殻体５０は前記第一装着体１０から弾かれて分離する。または、更に第四弾性部９８を前記第二装着体２０と前記第二外殻体６０の間に取り付けると、第二外殻体６０には押さえつける緊密度が生じ、前記第二外殻体６０の組立部６２と前記第二嵌合体４２をロック解除する時、前記第二外殻体６０は前記第二装着体２０から弾かれて分離する。
【００４０】
前述のとおり、本実施例は前記第一外殻体、第二外殻体を使用者が便利に交換したり装着、着脱できる他、本実施例中の携帯式電子装置は、通信電子製品に応用するものであるが、特に携帯電話への応用においては、前記第一外殻体または第二外殻体を便利に着脱、交換できる設計により、使用者は便利に携帯電話の表面板を変更する楽しみを享受し、個性的且つ多様な変化に富む携帯通信製品を表現できる。
【００４１】
本考案は既に前記実施例によって開示したが、それは本考案を限定するものではなく、よって、本考案の保護される範囲は本考案の実用新案請求の範囲を基準とする。
【符号の説明】
【００４２】
１        装着部品
１０      第一装着体
１１      第一側壁
１２      第二側壁
１３      第三側壁
１４      第四側壁
１６      板部
１８      装着部
２０      第二装着体
２２      収容室
２３      開孔
２４      ガイド室
２６      溝
２８      通路
２９      装着溝
３０      嵌合部品
３２      第一嵌合体
３２ａ    第一嵌合体
３２ｂ    第一嵌合体
３２ｃ    第一嵌合体
３３ａ    挿入溝
３３ｃ    ガイドホール
３４      第一弾性部
３４ａ    第一弾性部
３４ｂ    第一弾性部
３６      第一受力部
３６ｃ    第一受力部
３８      第一嵌合部
３８ｃ    第一嵌合部
３９      第一嵌合斜面
４２      第二嵌合体
４２ａ    第二嵌合体
４２ｂ    第二嵌合体
４２ｃ    第二嵌合体
４３ａ    挿入溝
４３ｃ    ガイドホール
４４      第二弾性部
４４ａ    第二弾性部
４４ｂ    第二弾性部
４６      第二受力部
４６ｃ    第二受力部
４８      第二嵌合部
４８ｃ    第二嵌合部
４９      第二嵌合斜面
５０      第一外殻体
５２      組立部
５３      嵌合孔
６０      第二外殻体
６２      組立部
６３      嵌合孔
７０      ガイド体
７０ｃ    ガイド体
７１ｃ    第一カム
７２      第一ガイド部
７２ｃ    第二カム
７３ｃ    第一軸棒
７４      第二ガイド部
７４ｃ    第二軸棒
８０      連結部
８１      連結体
８２      放出部
８２ａ    放出部
８２ｂ    放出部
８４ｂ    第一部
８６ｂ    第二部
８８ｂ    スライド部
８９ｂ    第一部品
９０ｂ    第一斜面
９１ｂ    第二部品
９２ｂ    第二斜面
９３ｂ    ホゾ
９４ｂ    ホゾ穴
９６      第三弾性部
９８      第四弾性部
【図１】
0003156572.tif 000003
【図２】
0003156572.tif 000004
【図３】
0003156572.tif 000005
【図４】
0003156572.tif 000006
【図５】
0003156572.tif 000007
【図６】
0003156572.tif 000008
【図７】
0003156572.tif 000009
【図８】
0003156572.tif 000010
【図９】
0003156572.tif 000011
【図１０】
0003156572.tif 000012
【図１１】
0003156572.tif 000013
【図１２】
0003156572.tif 000014
【図１３】
0003156572.tif 000015
【図１４】
0003156572.tif 000016
【図１５】
0003156572.tif 000017
【図１６】
0003156572.tif 000018
【図１７】
0003156572.tif 000019
【図１８】
0003156572.tif 000020
【図１９】
0003156572.tif 000021
【図２０】
0003156572.tif 000022
【図２１】
0003156572.tif 000023